(57)【要約】【課題】撮影した動画の中に存在する顔画像を抽出し、顔のアップ画像を生成し、該顔のアップ画像を通常の画像と共にマルチアングル画像として光記録媒体に記録可能とする。【解決手段】画像記録装置は、画像データに係る画像の中に顔画像が存在するか否かを検出し、該顔画像を検出したときには、顔画像の検出のタイミング、座標、大きさに係るメタデータを画像データと共に出力する信号処理回路９と、マイクロプロセッサ１の制御の下、この画像データとメタデータをハードディスク１２に記憶し、ダビング時においては該ハードディスク１２より画像データとメタデータを読み出し、該メタデータに基づいて顔画像を抽出して顔画像データを生成し、画像データと顔画像データを光記録媒体にＤＶＤドライブ１３を介して記録する記録再生回路１１とを備える。【選択図】      図１
2009130903.tif 000002
【特許請求の範囲】
【請求項１】
入力された画像データに係る画像の中に顔画像が存在するか否かを検出し、該顔画像を検出したときには、該画像データにおける顔画像の検出のタイミング、座標、大きさに係るメタデータを画像データと共に出力する信号処理手段と、
上記画像データと上記メタデータを第１の記憶手段に記憶し、ダビング時においては該第１の記憶手段より上記画像データと上記メタデータを読み出し、該メタデータに基づいて顔画像を抽出して顔画像データを生成し、上記画像データと顔画像データを光記録媒体に記録する記録再生手段とを備えた
ことを特徴とする画像記録装置。
【請求項２】
上記信号処理手段は、顔検出手段を備え、該顔検出手段により、所定の時間間隔で画像データに係る画像中の顔画像の存在を検出する
ことを特徴とする請求項１に記載の画像記録装置。
【請求項３】
上記顔検出手段による顔画像の検出では、人物の顔の特徴を示す部分が画像中にあるか否かを検出し、顔画像が存在する場合には、顔検出数の増減があるか否かを検出し、顔検出の増減があった場合に該増減のデータもメタデータとして記録する
ことを特徴とする請求項２に記載の画像記録装置。
【請求項４】
被写体像を撮像し、撮像信号を出力する撮像手段を備え、
上記信号処理手段は、該撮像信号をアナログ／デジタル変換し、所定の信号処理を施して画像データを生成する
ことを特徴とする請求項１に記載の画像記録装置。
【請求項５】
入力された画像データに係る画像の中に顔画像が存在するか否かを検出し、該顔画像を検出したときには、該画像データにおける顔画像の検出のタイミング、座標、大きさに係るメタデータを圧縮した画像データと共に出力する信号処理手段と、
上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録する記録再生手段とを備えた
ことを特徴とする画像記録装置。
【請求項６】
入力された画像データに係る画像の中に顔画像が存在するか否かを検出し、該顔画像を検出したときには、該画像データにおける顔画像の検出のタイミング、座標、大きさに係るメタデータを圧縮した画像データと共に出力するステップと、
上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録するステップとを備えた
ことを特徴とする画像記録方法。
【請求項７】
コンピュータが、
入力された画像データに係る画像の中に顔画像が存在するか否かを検出し、該顔画像を検出したときには、該画像データにおける顔画像の検出のタイミング、座標、大きさに係るメタデータを圧縮した画像データと共に出力する信号処理手段と、
上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録する記録再生手段として機能する
ことを特徴とするプログラム。
【発明の詳細な説明】
【技術分野】
【０００１】
本発明は、画像データを光記録媒体に記録する記録装置等に係り、特にマルチアングル対応の画像記録装置、画像記録方法及びプログラムに関する。
【背景技術】
【０００２】
従来、デジタルカメラ等の撮像装置では、撮像した画像信号から人物等の顔を検出して、該顔に対して自動的にオートフォーカス制御したり、画質補正したりすることがなされている。ここで、撮像した画像信号から顔を検出する手法としては、サンプリングした顔画像より平均的な顔画像を例えばテンプレートとして定義し、該テンプレートを用いて画像信号とマッチングする等の手法がある。
【０００３】
そして、例えば特許文献１では、画像に含まれる、顔の画像の数、それぞれの顔の画像についての、顔の位置、顔の大きさ、顔の向きを検出し、画像を順に切り替えて表示する場合、検出された顔の画像に応じた、画像の切り替えの効果を適用した画像の表示を制御する、画像処理装置が開示されている。
【０００４】
【特許文献１】特開２００７−７９８９４号公報
【発明の開示】
【発明が解決しようとする課題】
【０００５】
しかしながら、特許文献１に開示されるように、画像から人物の顔を抽出し、画像の検索に用いる方式は、デジタルカメラ等の撮像装置では公知であるものの、撮影した「動画コンテンツ」の中の顔画像を抽出し、該顔のアップ画像だけを切り出して、再生させるような技術は、特許文献１でも開示されておらず、未だに提案されていない。
【０００６】
一方、複数のカメラで同時撮影したコンテンツを、マルチアングル画像として、１枚の光記録媒体に記録することができる主に業務用途の編集機は存在するものの、一般のユーザが簡単にマルチアングルに対応した光記録媒体を作成する技術は存在しない。
【０００７】
そこで、本発明は、撮影した動画の中に存在する顔画像を抽出し、顔のアップ画像を生成し、該顔のアップ画像を通常の画像と共にマルチアングル画像として光記録媒体に記録することを可能とすることを課題とする。
【課題を解決するための手段】
【０００８】
本発明の第１の観点による画像記録装置は、入力された画像データに係る画像の中に顔画像が存在するか否かを検出し、該顔画像を検出したときには、該画像データにおける顔画像の検出のタイミング、座標、大きさに係るメタデータを画像データと共に出力する信号処理手段と、上記画像データと上記メタデータを第１の記憶手段に記憶し、ダビング時においては該第１の記憶手段より上記画像データと上記メタデータを読み出し、該メタデータに基づいて顔画像を抽出して顔画像データを生成し、上記画像データと顔画像データを光記録媒体に記録する記録再生手段とを備える。
【０００９】
従って、記録再生手段により、画像データと顔画像データが光記録媒体に顔画像データに基づく顔のアップ画像再生も行い得る状態でマルチアングル記録される。
【００１０】
この第１の観点において、上記信号処理手段は、顔検出手段を備え、該顔検出手段により、所定の時間間隔で画像データに係る画像中の顔画像の存在を検出してもよい。更に上記顔検出手段による顔画像の検出は、人物の顔の特徴を示す部分が画像中にあるか否かを検出し、顔画像が存在する場合には、顔検出数の増減があるか否かを検出し、顔検出の増減があった場合に該増減のデータをメタデータとして記録してもよい。さらに、この第１の観点において、被写体像を撮像し、撮像信号を出力する撮像手段を備え、上記信号処理手段は、該撮像信号をアナログ／デジタル変換し、所定の信号処理を施して画像データを生成するようにしてもよい。
【００１１】
本発明の第２の観点に係る画像記録装置は、入力された画像データに係る画像の中に顔画像が存在するか否かを検出し、該顔画像を検出したときには、該画像データにおける顔画像の検出のタイミング、座標、大きさに係るメタデータを圧縮した画像データと共に出力する信号処理手段と、上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録する記録再生手段とを備える。
【００１２】
従って、記録再生手段により、画像データと顔画像データが光記録媒体に顔画像データに基づく顔のアップ画像再生も行い得る状態で圧縮してマルチアングル記録される。
【００１３】
本発明の第３の観点に係る画像記録方法は、入力された画像データに係る画像の中に顔画像が存在するか否かを検出し、該顔画像を検出したときには、該画像データにおける顔画像の検出のタイミング、座標、大きさに係るメタデータを圧縮した画像データと共に出力するステップと、上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録するステップとを備える。
【００１４】
従って、画像データと顔画像データが光記録媒体に顔画像データに基づく顔のアップ画像再生も行い得る状態でマルチアングル記録される。
【００１５】
本発明の第４の観点に係るプログラムは、コンピュータが、入力された画像データに係る画像の中に顔画像が存在するか否かを検出し、該顔画像を検出したときには、該画像データにおける顔画像の検出のタイミング、座標、大きさに係るメタデータを圧縮した画像データと共に出力する信号処理手段と、上記圧縮した画像データと上記メタデータを第１の記憶手段に記憶し、ダビング時においては該第１の記憶手段より上記圧縮した画像データと上記メタデータを読み出し、該圧縮した画像データを伸張し、該伸張後の画像データより該メタデータに基づいて顔画像を抽出して顔画像データを生成し、上記画像データと顔画像データを圧縮して光記録媒体に記録する記録再生手段として機能する。
【００１６】
従って、プログラムに基づくソフトウェア処理により、画像データと顔画像データが光記録媒体に顔画像データに基づく顔のアップ画像再生も行い得る状態でマルチアングル記録される。
【発明の効果】
【００１７】
本発明によれば、撮影した動画の中に存在する顔画像を抽出し、顔のアップ画像を生成し、該顔のアップ画像を通常の画像と共にマルチアングル画像として光記録媒体に記録することができる画像記録装置、画像記録方法及びプログラムを提供することができる。
【発明を実施するための最良の形態】
【００１８】
以下、図面を参照して、本発明を実施するための最良の形態（以下、単に実施の形態と称する）について詳細に説明する。
【００１９】
図１には本発明の第１の実施の形態に係る画像記録装置の構成を示し説明する。
【００２０】
この図１に示される画像記録装置は、顔インデックスサムネイル一覧と選択サムネイルに該当する場面からの再生を実現するハードディスクＤＶＤ(Digital Versatile Disc)ビデオカメラレコーダとして適用可能なものである。以下、詳述する。
【００２１】
図１に示されるように、画像記録装置１００は、全体の制御を司る制御手段としてのマイクロプロセッサ１を備えている。バッテリ２、或いはＡＣ電源４からの電源は電源回路３を介してマクロプロセッサ１に供給され、更に電源コントロール部５を介して他回路に供給されるように構成されている。マイクロプロセッサ１には、操作入力手段としてのキー入力回路６が接続されている。撮影光学系７を入射した光の光路上には撮像素子としてＣＣＤ(Charge Coupled Device)８が配設されており、このＣＣＤ８の出力は、信号処理手段としての信号処理回路９に接続されている。信号処理回路９は、顔検出手段としての顔検出エンジン１０を備えている。この信号処理回路９は、記録再生回路１１を介して第１の記憶手段としてのハードディスク１２、ＤＶＤドライブ１３に接続されている。そして、この記録再生回路１１は、マイクロプロセッサ１と接続されている。
【００２２】
このマイクロプロセッサ１は、オンスクリーンディスプレイ(OSD; On Screen Display)回路１４、重畳回路１５を介してＬＣＤ(Liquid Crystal Display)パネル１６に接続されている。この例では、ＬＣＤパネル１６は、タッチパネルで構成されている。
【００２３】
尚、この例では、ＤＶＤを通常／顔アングルのマルチアングル記録先として例示しているが、より詳細には、例えばブルーレイディスクやＨＤ（High Definition）ＤＶＤ等を各種の光記録媒体を記録先として採用することが可能であることは勿論である。
【００２４】
撮影光学系７には、被写体光をＣＣＤ８に集光するためのフォーカスレンズ、該フォーカスレンズを駆動してフォーカス合わせやズーミングを行うための駆動機構、開閉操作により被写体光を所定時間だけ撮像素子に入射させるシャッタ機構等を概念上含む。
【００２５】
このような構成において、マイクロプロセッサ１は、キー入力回路６の外部キー入力電圧をＡ／Ｄ（Analog/Digital）変換し、得られた電圧値からどのキーが押されているか判断し、或いは、タッチパネルであるＬＣＤパネル１６からの入力信号をＡ／Ｄ変換し、その値からＬＣＤパネル１６に表示されたＧＵＩ(Graphical User Interface)上のどのボタンが押されているか判断し、各回路を制御するための制御コマンドを発行する。
【００２６】
また、マイクロプロセッサ１は、ＣＣＤ８、信号処理回路９、記録再生回路１１を制御し、映像信号のＨＤ／ＳＤ（Standard Definition）記録再生の切り替えを行う。
【００２７】
また、マイクロプロセッサ１は、記録再生回路１１を制御し、ハードディスク１２に記録された管理ファイル及び記録ファイルにアクセスし、記録された映像信号を伸張（デコード）、加工して重畳回路１５を介してＬＣＤパネル１６上に表示させる。
【００２８】
ここで、「管理ファイル」とは、画像データに対応した顔画像に係るメタデータを管理するファイルであり、メタデータとしては、画像データにおける顔検出のタイミングや座標、大きさ、更には顔の増減のデータが管理される。一方、「記録ファイル」とは、画像データ（通常アングル）を記録するファイルである。
【００２９】
上記表示に際しては、ＯＳＤ回路１４は、マイクロプロセッサ１から送られてきたコマンドを解釈し、内蔵の映像RAM上に作成された表示信号を走査単位で重畳回路１５へ送る。これを受けて、重畳回路１５は、記録用映像信号、または再生された映像信号とＯＳＤ回路１４からの表示信号を表示してＬＣＤパネル１６上に出力する。
【００３０】
一方、撮像素子であるＣＣＤ８にて撮像され光電変換され得られた映像信号は、信号処理回路９にて所定の信号処理が施された後、画像データとして記録再生回路１１によりハードディスク１２や第２の記憶手段としてのＤＶＤに記録ファイルとして記録されることになる。この信号処理回路９による所定の信号処理とは、例えば、デジタルの画像信号に変換した後、該画像信号に対して、欠陥画素補正等の前処理を施し、オートホワイトバランス調整、コントラスト調整等の所定の画質補正を行うことになる。更に圧縮画像データに変換するエンコード処理も該信号処理回路９により実施される。
【００３１】
信号処理回路９は顔検出エンジン１０を内蔵し、該顔検出エンジン１０により画像データ中の顔を検出して、この検出した顔の画像中の時間的、空間的位置情報を映像管理ファイルに保存する。この顔検出の手法としては、サンプリングした顔画像より平均的な顔画像を例えばテンプレートとして定義し、該テンプレートを用いて画像信号とマッチングする等の手法があるが、これに限定されるものではない。
【００３２】
映像信号の記録方式としてはMPEG-4 AVC/H.264(Moving Picture Experts Group-4 Advanced Video Coding/ H.264)圧縮とAVCHD(Advanced Video Codec High Definition )(登録商標)規格を用いた高精細（HD）映像記録とMPEG-2圧縮を用いた標準（SD）信号記録に対応する。
【００３３】
以下、本実施の形態に係る画像記録装置による特徴的な処理を説明する。
【００３４】
図２には、ＤＶＤへのマルチアングル記録の処理の流れを概念的に示し説明する。
【００３５】
録画時には、ＬＣＤパネル１６には、画面２００のような「ＲＥＣ」の表示と共にキャプチャされている動画の様子が表示されている。
【００３６】
このキャプチャ時において、画像中に顔が検出された場合には、信号処理回路９は、メタデータを記録再生回路１１側に画像データと共に供給することになる。
【００３７】
記録再生回路１１は、マイクロプロセッサ１による制御の下、ハードディスク１２への通常画像データの記録と同時にメタデータを記録することになる（＃１）。
【００３８】
次いで、この画像データをＤＶＤドライブ１３によりＤＶＤにダビングする際には、エンコード（圧縮）された圧縮画像データをマイクロプロセッサ１によるソフトウェア処理によりデコード（伸張）し、このメタデータを基に、顔を中心とした画像を再生ズーム機能で切り出し（＃２）、この顔近辺のみを切り出した画像データを再びエンコード（圧縮）して、通常画像データと一緒にＤＶＤに記録する（＃３）。
【００３９】
以上により、マルチアングル記録が行われるようになっている（＃４）。
【００４０】
尚、ダビング動作は、実時間で行う必要はないため、民生用のＤＶＤビデオカメラレコーダの処理能力でも実現可能である。
【００４１】
一方、十分な処理能力とバッファメモリの容量があれば、図３に示されるように、通常画像データの記録時に、同時に顔アングル画像データを生成して、マルチアングル記録をすることも可能である。即ち、この場合には、通常アングルの通常画像データを記録再生回路１１に含まれる間欠バッファの第１の領域に記憶し（＃１１）、該通常画像データより顔を中心として画像を切り出し、この顔近辺のみを切り出した顔アングルに係る画像データを間欠バッファの第２の記憶領域に逐次記憶していく（＃１２）。そして、これらをＤＶＤドライブ１３によりＤＶＤにマルチアングル記録する（＃１３）。
【００４２】
こうしてマルチアングル記録された画像データは、図４に示されるような画面により再生可能となる。即ち、図４（ａ）は通常アングルに係る表示例を示し、図４（ｂ）は顔アングルに係る表示例を示している。いずれの画面２０１，２０２においても、アングルを切り替える釦２０１ａ，２０２ａをタッチパネルのＧＵＩ上に設けて、ユーザが所望とするタイミングでアングルを切り替えることができるようになっている。顔アングルで表示再生がなされている場合には、図４（ｂ）に示されるように、顔アングルでの表示である旨を示唆するアイコン２０２ｂが表示される。
【００４３】
以下、図５のフローチャートを参照して、本発明の一実施の形態に係る画像記録装置によるマルチアングル記録に係る一連の処理を更に詳細に説明する。以下の処理の一部又は全部は、一実施の形態に係る画像記録方法に相当する。
【００４４】
尚、以下の処理は、例えば１ＧＯＰ(Group of Pictures)単位で実施される。
【００４５】
撮影光学系７を介して入射した被写体光はＣＣＤ８の受光面にて受光され、光電変換され、映像信号が出力される。この映像信号は、信号処理回路９に入力され、前述したような信号処理が施され、デジタルの画像信号が生成される（ステップＳ１）。
【００４６】
信号処理回路９の顔検出エンジン１０は、この信号処理の過程で、顔を検出しているが、顔が検出されると（ステップＳ２をＹｅｓに分岐）、メタデータを抽出し（ステップＳ３）、画像信号をエンコードし画像データとして記録再生回路１１に出力する（ステップＳ４）。記録再生回路１１は、通常アングルに係る画像データとメタデータを間欠バッファにバッファリングすることになる（ステップＳ５）。
【００４７】
続いて、上記画像データに係る画像の中に顔が検出されたか否かを判断し、検出された場合には（ステップＳ６をＹｅｓに分岐）、通常アングルの画像データをマイクロプロセッサ１がソフトウェア処理によりデコードすると共に、顔のメタデータを基に、顔近辺のみを切り出した顔アングルの画像信号を生成し（ステップＳ７）、該顔アングルの画像信号を再びエンコードする（ステップＳ８）。そして、顔アングルに係る圧縮画像データとして、記録再生回路１１の間欠バッファにバッファリングする（ステップＳ９）。
【００４８】
こうして、記録再生回路１１は、間欠バッファにバッファリングされた圧縮後の通常アングルの画像データと顔アングルの画像データをＤＶＤドライブ１３に転送し、光記録媒体としてのＤＶＤへの書き込みを行い（ステップＳ１０）、一連の処理を終了することになる。以上の処理によりマルチアングル記録が実現される。
【００４９】
以上の処理によれば、顔アングルの画像データがマルチアングル記録により併せてＤＶＤにダビング記録されるので、該ＤＶＤの再生時において、画像中の人物の顔のアップの再生を適宜選択し、実行することが可能となる。
【００５０】
尚、通常アングルの画像データ中に複数の顔が検出された場合に、複数の顔アングルの画像データをマルチアングル記録により記録することも可能である。
【００５１】
以下、図６のフローチャートを参照して、このような観点から改良した、改良例のマルチアングル記録に係る一連の処理を詳細に説明する。
【００５２】
ステップＳ１１乃至Ｓ１５の処理は図５のステップＳ１乃至Ｓ５と同様であるので、重複した説明は省略する。ステップＳ１６において、一つ以上の顔が検出されたか否かを判断し、検出された場合には、通常アングルの画像データをマイクロプロセッサ１がソフトウェア処理によりデコードすると共に、顔のメタデータを基に、顔近辺のみを切り出した顔アングルの画像信号を生成し（ステップＳ１７）、該顔アングルの画像信号を再びエンコードする（ステップＳ１８）。そして、顔アングルに係る画像データとして、記録再生回路１１の間欠バッファにバッファリングする（ステップＳ１９）。
【００５３】
そして、全ての顔の画像データをバッファリングしたか否かを判断し（ステップＳ２０）、全てのバッファリングを終了するまで、上記ステップＳ１７乃至Ｓ１９の処理を繰り返す。こうして、全てのバッファリングを終了すると、記録再生回路１１は、間欠バッファにバッファリングされた圧縮後の通常アングルの画像データと顔アングルの画像データをＤＶＤドライブ１３に転送し、ＤＶＤへの書き込みを行い（ステップＳ２１）、こうして改良例に係る一連の処理を終了することとなる。
【００５４】
以上の処理によれば、例えば、家族旅行などに出かけた際に記念写真を撮影した場合など、画像中に複数の人物の顔が存在する場合においては、各人の顔アングルの画像データをマルチアングル記録により記録することができるので、記録されたＤＶＤの再生時には所望とする人物の顔アングルの画像再生を適宜に行うことが可能となる。
【００５５】
以上詳述したように、本発明の一実施の形態によれば、動画像から人物の顔を自動検出し、その結果を管理ファイル上にメタデータとして記録し、そのメタデータを基に人物の顔のアップをマルチアングル画像としてＤＶＤに記録するビデオカメラレコーダ等の画像記録装置を提供することができる。このとき、顔に関する、動画像上の登場時間、座標などの情報は動画像の管理ファイル上にメタデータとして書くとよい。
【００５６】
人物の顔のアップ画像作成は、前記動画管理ファイル上の顔検出メタデータ情報を基にして動画像の該当時間付近の画像から該当座標近辺の画像を切り出して随時作成するとよい。この画像記録装置は、例えば顔検出エンジンを備えることで、動画像の撮影時に一定時間間隔で顔の検出を行うことができる。そして、顔画像の検出は、人の顔の特徴を示す部分が画像中にあるかないか、また顔画像が存在する場合には、顔検出数の増減があるかないかを検出し、顔検出の増減があった場合に管理ファイル上に顔検出情報をメタデータとして記録することとしてもよいことは勿論である。
【００５７】
従って、本発明の一実施の形態に係る画像記録装置によれば、一台の画像記録装置により、マルチアングル記録のＤＶＤを作成することができる。そして、シーン中に含まれている顔のアップ動画と通常動画を切り替えて再生することができる。
【００５８】
以上、本発明の一実施の形態について説明したが、本発明はこれに限定されることなく、その主旨を逸脱しない範囲で種々の改良・変更が可能であることは勿論である。
【００５９】
例えば、顔検出に加えて、笑顔検出を実施し、該笑顔に係る顔近辺の画像を切り出し顔アングルの画像データとしてマルチアングル記録してもよい。例えば、複数の顔が存在する場合に、その顔の中の笑顔を更に優先するなどの手法が考えられる。
【００６０】
また、最初に顔を特定し、登録しておき、以降、複数の顔が検出された場合でも、この登録された顔に係る顔アングルの画像データのみを優先してマルチアングル記録するようにしてもよい。或いは、通常撮影時に顔が既にアップで撮影されている場合には、顔アングルの画像データと通常アングルの画像データが略同じサイズのものとなる場合も想定されるが、そのような場合には顔アングルの画像データの記録を行わないようにすることで処理負荷を軽減するようにしてもよい。尚、顔アングルでの記録がなされない場合であっても、ブランクを示すデータを不可することで、処理負担の増加を抑制できる。
【００６１】
以上のほか、画像中の子供の顔を優先するように制御してもよい。
【図面の簡単な説明】
【００６２】
【図１】本発明の第１の実施の形態に係る画像記録装置の構成図。
【図２】ＤＶＤへのマルチアングル記録の処理の流れを概念的に示す図。
【図３】ＤＶＤへのマルチアングル記録の他の処理の流れを概念的に示す図。
【図４】ＬＣＤパネルによる再生時の画面表示例を示す図。
【図５】本発明の一実施の形態に係る画像記録装置によるマルチアングル記録に係る一連の処理を更に詳細に説明するフローチャート。
【図６】本発明の一実施の形態に係る画像記録装置によるマルチアングル記録に係る一連の処理の改良例を更に詳細に説明するフローチャート。
【符号の説明】
【００６３】
１…マイクロプロセッサ、２…バッテリ、３…電源回路、４…ＡＣ電源、５…電源コントロール部、６…キー入力回路、７…撮影光学系、８…ＣＣＤ、９…信号処理回路、１０…顔検出エンジン、１１…記録回路、１２…ハードディスク、１３…ＤＶＤドライブ、１４…オンスクリーンディスプレイ回路、１５…重畳回路、１６…ＬＣＤタッチパネル、１００…画像記録装置
【図１】
2009130903.tif 000003
【図２】
2009130903.tif 000004
【図３】
2009130903.tif 000005
【図４】
2009130903.tif 000006
【図５】
2009130903.tif 000007
【図６】
2009130903.tif 000008